(57)【要約】【課題】任意の無線変調方式で変調された変調バス信号を効果的に捕捉する。【解決手段】試験測定装置は、入力部１００で任意の無線変調方式で変調された変調バス信号を受けて、ＡＤＣ１０２でデジタル化する。デジタル・ダウン・コンバータ１０４は、変調バス信号をダウン・コンバートし、同相及び直交ベースバンド成分波形データを出力する。トレース生成部１０６は、同相及び直交ベースバンド成分波形データを受けて、時間対無線周波数（ＲＦ）トレースを生成する。デコーダ１０８は、時間対ＲＦトレースを受けて、無線変調方式に基づくしきい値を用いて、変調バス信号をデコードし、バイナリ信号を生成する。トリガ回路１１２は、バイナリ信号中に特定のバイナリ・パターンを見つけるとトリガ動作を行うことで、バイナリ信号の特定のバイナリ・パターンを含む部分とその前後を捕捉するようにする。【選択図】図１
2020118685.tif 000002
【特許請求の範囲】
【請求項１】
任意の無線変調方式に基づいて変調された変調バス信号を受けて、同相及び直交ベースバンド成分波形データを出力するよう構成されるデジタル・ダウン・コンバータと、
上記同相及び直交ベースバンド成分波形データを受けて、時間対無線周波数トレース、時間対同相トレース又は時間対直交トレースを含む１つ以上のトレースを生成するよう構成されるトレース生成部と、
１つ以上の上記トレース及び上記無線変調方式に基づいて上記変調バス信号をデコードするよう構成されるデコーダと、
デコードされた上記変調バス信号を捕捉するよう構成される捕捉装置と
を具える試験測定装置。
【請求項２】
上記デコーダが、上記１つ以上のトレースに基づいて上記変調バス信号をデコードするのに、少なくとも１つのしきい値を決定し、上記１つ以上のトレースを少なくとも１つの上記しきい値に対して比較することによって、上記変調バス信号をバイナリ信号にデコードするよう構成される請求項１の試験測定装置。
【請求項３】
上記捕捉装置が、デコードされた上記変調バス信号を受けて、デコードされた上記変調バス信号中のトリガ・イベントを検索し、デコードされた上記変調バス信号中に上記トリガ・イベントが生じていない場合には、上記変調バス信号を破棄して新しい変調バス信号を捕捉し、デコードされた上記変調バス信号中に上記トリガ・イベントが生じている場合には、上記変調バス信号を捕捉するよう構成される１つ以上のプロセッサを有する請求項１又は２の試験測定装置。
【請求項４】
任意の無線変調方式に基づいて変調された変調バス信号をデコードする方法であって、
上記変調バス信号を同相及び直交ベースバンド成分波形データにダウン・コンバートする処理と、
上記同相及び直交ベースバンド成分波形データに基づいて少なくとも１つの時間領域トレースを生成する処理と、
少なくとも１つの上記時間領域トレースに基づいて上記変調バス信号をデコード・データにデコードする処理と、
デコードされた上記変調バス信号中のイベントを検出する処理と、
上記イベントが検出された場合にデコードされた上記変調バス信号の少なくとも一部分を捕捉する処理と
を具える変調バス信号デコード方法。
【請求項５】
上記変調バス信号をデコードする処理が、少なくとも１つのしきい値を決定する処理と、少なくとも１つの上記時間領域トレースを少なくとも１つの上記しきい値と比較することによって、上記変調バス信号をバイナリ信号にデコードする処理とを有する請求項４の変調バス信号デコード方法。
【請求項６】
少なくとも１つの上記しきい値は、上記無線変調方式に基づいて決定される請求項４又は５の変調バス信号デコード方法。
【請求項７】
試験測定装置の１つ以上のプロセッサで実行されたときに、上記試験測定装置に、請求項４から６のいずれかの方法を実行させるコンピュータ・プログラム。
【発明の詳細な説明】
【技術分野】
【０００１】
本発明は、バス信号を捕捉する試験測定装置及び方法に関し、特に、任意の無線変調方式で変調された変調バス信号をデコードし、デコードされた変調バス信号にトリガをかける試験測定装置及び方法に関する。
【背景技術】
【０００２】
オシロスコープのような伝統的な試験測定装置では、ユーザがシリアル・バス信号をデコードすることが可能である。これは、シリアル・バス信号と、このシリアル・バス信号をデコードするのに必要な他の信号をプロービングすることで行うことができる。補助的な情報、例えば、取り込まれるシリアル・バス信号について、それがどの形式のバスであるか、各チャンネルが何をプロビングしているかといった情報も、種々のセットアップ情報と共にオシロスコープに与えられる。
【０００３】
セットアップ情報が与えられれば、従来のオシロスコープは、バスが伝送している実際のパケットやデータのコンテンツをデコードでき、デコードされたバスを表示する形でユーザにそのデータを提供できる。
【先行技術文献】
【特許文献】
【０００４】
【特許文献１】特開２０１９−７９５９号公報
【特許文献２】特許第４９４３２７４号公報
【非特許文献】
【０００５】
【非特許文献１】トランジスタ技術ＳＰＥＣＩＡＬ編集部編、「ディジタル・オシロスコープ活用ノート」、「５−２  トリガ回路のしくみ」、第８５〜８７頁、図２（回路ブロック図）、トランジスタ技術ＳＰＥＣＩＡＬ  ｆｏｒ  フレッシャーズ  Ｎｏ．９９、ＣＱ出版株式会社、２００７年７月１日発行
【発明の概要】
【発明が解決しようとする課題】
【０００６】
しかし、こうした形式の機能は、有線でシリアル及びパラレル・バスが接続される場合にのみ利用可能で、任意の無線変調方式で変調された信号については、無線変調方式が複雑であるために、従来のオシロスコープでは、こうした機能を利用できなかった。
【０００７】
本発明の実施形態は、従来技術のこれらやその他の課題を解決しようとするものである。
【課題を解決するための手段】
【０００８】
本発明による試験測定装置には、任意の無線変調方式で変調されたバス信号を受けて同相及び直交ベースバンド成分波形データを出力するよう構成されるデジタル・ダウン・コンバータがある。トレース生成部は、同相及び直交ベースバンド成分波形データを受けて、少なくとも１つの時間対無線周波数（ＲＦ）トレースを生成する。デコーダは、少なくとも１つの時間対無線周波数トレースを受けて、少なくとも１つの時間対無線周波数トレースと無線変調方式に基づいて、バス信号をデコードする。捕捉装置は、デコードされたバス信号（例えば、バイナリ信号）中にトリガ・イベントを見つけると、デコードされたバス信号の少なくとも一部分を捕捉するようにする。
【０００９】
本発明の実施形態の態様、特徴及び効果は、添付の図面を参照し、以下の実施形態の説明を読むことで明らかとなろう。
【図面の簡単な説明】
【００１０】
【図１】図１は、本発明の例示的な実施形態による試験測定装置のブロック図である。
【図２】図２は、本発明の別の例示的な実施形態による試験測定装置のブロック図である。
【図３】図３は、本発明の例示的な実施形態による任意の無線変調方式に基づいて変調された変調バス信号をデコードする処理のフローチャートである。
【発明を実施するための形態】
【００１１】
図１は、本発明の実施形態による例示的な試験測定装置のブロック図である。この試験測定装置には、１つ以上の信号を受ける１つ以上の入力部１００があっても良い。１つ以上の入力部１００の少なくとも１つは、バス信号のような、無線変調方式が適用された信号を受ける。１つ以上の入力部１００は、信号を受けるのに、有線入力又は無線入力のどちらを通しても良い。
【００１２】
試験測定装置には、入力バス信号をデジタル・バス信号に変換する１つ以上のアナログ・デジタル・コンバータ（ＡＤＣ）１０２があっても良い。このデジタル・バス信号は、デジタル・ダウン・コンバータ（ＤＤＣ）１０４によって、同相（Ｉ：in-phase）及び直交（Ｑ：quadrature-phase：直交位相）バースバンド成分データにダウン・コンバートされても良い。
【００１３】
更に、トレース生成部１０６は、同相（Ｉ）及び直交（Ｑ）ベースバンド成分の情報を受けて、１つ以上の時間領域（time-domain）トレースを生成しても良く、これは、バス信号の特定の特性が時間に対してどのように変化するかを示すことができる。この時間領域トレースとしては、１つ以上の時間対周波数トレースや、時間対同相ベースバンド成分データ、時間対直交ベースバンド成分データであっても良い。実施形態によっては、高速フーリエ変換を同相及び直交ベースバンド成分に対して実行して、時間領域データのスペクトラム表示を生成しても良い。
【００１４】
時間対無線周波数トレースとしては、例えば、時間対振幅トレース、時間対周波数トレース、又は、時間対位相トレースがあっても良い。更に、時間対振幅トレースとしては、線形時間対パワー（電力）トレース、対数（Log：ログ）時間対パワー・トレース、又は、線形時間対振幅トレースがあっても良い。トレース生成部１０６は、同相（Ｉ）ベースバンド成分トレース及び直交（Ｑ）ベースバンド成分トレースを生成しても良い。
【００１５】
時間対無線周波数（ＲＦ）トレースは、以下のいくつかの数式を用いて生成され、ここで、Ｉはダウン・コンバータ１０４によって求められる同相ベースバンド波形データであり、Ｑはダウン・コンバータ１０４によって求められる直交ベースバンド波形データである。
【００１６】
Ｉ＝Ａ・ｃｏｓ（φ）      （１）
【００１７】
Ｑ＝Ａ・ｓｉｎ（φ）      （２）
【００１８】
ピーク振幅Ａ＝（Ｉ2＋Ｑ2)1/2      （３）
【００１９】
位相角度φ＝ｔａｎ-1(Ｑ／Ｉ）      （４）
【００２０】
周波数＝（位相ｎ＋１−位相ｎ）／（３６０＊１／ＳＲＤ）  （５）
【００２１】
数式５のＳＲＤは、入力されるバス信号の間引き処理後のサンプル・レートである。
【００２２】
トレース生成部１０６で生成される１つ以上の時間領域トレースは、デコーダ１０８でシリアル・バス信号をデコードするのに利用できる。デコーダ１０８は、また、ユーザ入力部１１０からの入力を受けても良い。ユーザ入力部１１０は、ユーザによるシステムへの情報入力を可能にする任意のコンポーネントであっても良く、例えば、限定するものではないが、キーボード、マウス、ジョイスティックその他の接続されたコンポーネントであっても良い。ユーザ入力部１１０からの入力は、有線でも良いし、無線でも良い。ユーザ入力部１１０からの入力には、位相シフト・キーイング、周波数シフト・キーイング、周波数変調などの無線変調方式についての情報が含まれていても良い。しかし、無線変調方式の情報は、変調バス信号自身が含む情報から試験測定装置が自動的に取得するようにしても良い。
【００２３】
デコーダ１０８は、トレース生成部１０６で生成された１つ以上のトレースと、ユーザからの入力情報に基づいて、シリアル・バス信号を、デコード・データ（即ち、デコードされたデータ）にデコードできる。このデコード・データは、例えば、バイナリ信号であっても良い。ユーザ入力部１１０で受けた無線変調方式の情報に基づいて、デコーダ１０８は、バイナリ信号を求める１つ以上のしきい値を設定できる。実施形態によっては、１つ以上のしきい値が、無線変調方式によって決定されるのではなくて、ユーザ入力部１１０を通して、ユーザによって設定される。
【００２４】
例えば、時間対周波数トレースを用いて、しきい値が、ある特定の周波数に設定されても良い。この場合、時間対周波数トレース中のしきい値の周波数より上の全ての周波数が、１のバイナリ値としてデコードされ、しきい値の周波数より下の全ての周波数が、０のバイナリ値としてデコードされる。しかし、しきい値は、周波数だけに限定されず、無線変調方式に依存した信号の位相、振幅などに加えて、ユーザによって指定されたしきい値に基づいて設定されて良い。
【００２５】
実施形態によっては、２つ以上のしきい値が設定されても良い。例えば、もし３つのしきい値がされると、第１しきい値より下の値は、００にデコードされても良く、第１しきい値と第２しきい値の間の値は、０１にデコードされても良く、第２しきい値と第３しきい値の間の値は、１０にデコードされても良く、第３しきい値より上の値は、１１にデコードされても良い。本発明の実施形態は、単一のしきい値に限定されず、ユーザの入力に応じて必要となる任意の個数のしきい値を用いることができる。
【００２６】
トリガ回路１１２は、特定のバイナリ・パターンを見つけるために、デコード・データを検索（調査、サーチ）し、特定のバイナリ・パターンを検出したときに、そのバイナリ・パターンを含むデコード・データの部分（例えば、その特定バイナリ・パターンとその前後の部分）を捕捉するように試験測定装置にトリガをかける（非特許文献１参照）。トリガ・イベントとして利用する特定のバイナリ・パターンは、ユーザ入力部１１０を通して、ユーザが選択するようにしても良い。特定バイナリ・パターンを含むデコード・データがトリガ動作によって捕捉されたら、試験測定装置が、更なる測定や分析を行ったり、データを表示部１１４上に表示するなど、捕捉されたデコード・データを更に処理しても良いし、トリガ回路１１２が、そのデコード・データを蓄積するようにメモリ１１６に命令を出しても良い。
【００２７】
図２に示す本発明の別の例示的な実施形態による試験測定装置には、図１と同様に、１つ以上の入力部２００があり、任意の無線変調方式に基づいて変調された変調バス信号を受ける。この変調バス信号は、アナログ・デジタル・コンバータ（ＡＤＣ）２０２によってデジタル化されても良い。トリガ回路２０４は、例えば、ハードウェア・トリガ回路であっても良く、これは、入力信号のエッジ又はクロック信号のエッジでトリガをかけることができるよう構成されていても良い。この場合、変調バス信号を捕捉するのに、トリガ回路２０４がエッジ・トリガを利用しても良い。実施形態によっては、トリガ回路２０４が無線周波数信号を検出するとトリガをかけるようにしても良い。
【００２８】
図１に関して説明したのと同様に、上述のデジタル化された信号は、デジタル・ダウン・コンバータ（ＤＤＣ）２０６において、その同相（Ｉ）及び直交（Ｑ）ベースバンド成分データへとダウン・コンバートされても良い。
【００２９】
トレース生成部２０８は、トレース生成部１０６と類似しており、上述の如く、同相及び直交ベースバンド成分波形データを受けて、１つ以上の時間領域トレースを生成できる。１つ以上の時間領域トレースは、トレース生成部１０６に関して上述したように、バス信号の特定の特性が、時間に対してどのように変化するかを示すことができる。
【００３０】
トレース生成部２０８で生成された１つ以上の時間領域トレースは、デコーダ２１０でシリアル・バス信号をデコードするのに利用できる。デコーダ２１０は、ユーザ入力部１１０と同様のユーザ入力部２１２からの入力を受けることができる。
【００３１】
上述と同様に、デコーダ２１０は、次いで、トレース生成部２０８で生成された１つ以上のトレースと、ユーザからの入力情報に基づいて、変調シリアル・バス信号を、デコード・データにデコードできる。このデコード・データは、例えば、バイナリ信号であっても良い。このデコード・データは、検索部（searcher：サーチャ又はサーチ部）２１４に送られても良く、検索部２１４は、特定のバイナリ・パターンを見つけるためにデコード・データを検索（サーチ）する。上述のように、特定のバイナリ・パターンは、ユーザ入力部２１２からユーザが与えるようにしても良い。もし特定のバイナリ・パターンが捕捉された波形データ中に見つかると、検索部２１４は、その特定バイナリ・パターンを含む波形データの部分を受けて、次いで、メモリ２１６中に蓄積したり、表示部２１８で表示したり、又は、１つ以上のプロセッサのような他のコンポーネントにおいて更なる処理を行うために、その波形データを転送する。しかし、もし特定のバイナリ・パターンが捕捉された波形データ中に見つからないと、検索部１４は、そのトリガによって捕捉された波形データを破棄し、メモリ２１６への蓄積を行わない。
【００３２】
実施形態によっては、ダウン・コンバータ２０６、トレース生成部２０８、デコーダ２１０及び検索部２１４の夫々が、１つ以上のプロセッサ（図示せず）に含まれていても良い。１つ以上のプロセッサは、ダウン・コンバータ２０６、トレース生成部２０８、デコーダ２１０及び検索部２１４に関して上述した機能を実行するための命令を、例えば、メモリ２１６に記憶しておいて、実行するようにしても良い。
【００３３】
図３は、図１及び２に示す実施形態のいずれかを用いて、ある無線変調方式に基づいて変調されたバス信号をデコードするためのフローチャートを示す。
【００３４】
最初に、工程３００では、デジタル化された変調バス信号が、同相（Ｉ）及び直交（Ｑ）ベースバンド成分波形データにダウン・コンバートされる。工程３０２では、同相及び直交ベースバンド成分波形データを用いて、１つ以上の時間領域トレースが生成されても良い。例えば、上述のように、１つ以上の時間領域トレースとしては、１つ以上の時間対無線周波数トレースがあり、これは、例えば、時間対周波数トレース、時間対位相トレース、又は、時間対振幅トレースであっても良い。時間領域トレースとしては、更に、時間対同相ベースバンド成分情報トレース及び時間対直交ベースバンド成分情報トレースがあっても良い。
【００３５】
入力されるか又は取得した無線変調方式の情報を用いて、工程３０４では、工程３０２で生成された時間領域トレースに基づいて、変調バス信号をデコードする。例えば、１つ以上のしきい値を時間領域トレースに関して設定して、バス信号をバイナリ信号にデコードしても良い。時間対無線周波数トレースについては、しきい値が、周波数しきい値、位相しきい値又は振幅しきい値であっても良く、これらがトレースと比較されて、バス信号をバイナリ成分にデコードするための判定に利用されても良い。
【００３６】
バス信号がデコードされると、工程３０６では、トリガ回路１１２又は検索部２１４のような捕捉装置が、デコードされた信号中にトリガ・イベントがあるか否かを決定する。例えば、トリガ回路１１２又は検索部２１４は、デコードされた信号中に特定のビット・ストリームが存在するか否かを決定する。もしトリガ・イベントが存在すると、図１及び２に示して上述したように、デコードされたバス信号が捕捉されて、次いで、メモリに蓄積されるか、表示されるか、又は、試験測定装置によって更に処理される。図２の実施形態では、もし検索部２１４がトリガ・イベントを特定できなかった場合には、検索部２１４が、トリガに応じて捕捉され、デコードされたバス信号のデータを破棄するようにしても良い。
【００３７】
上述した実施形態の夫々では、バス信号のデコード処理は、周期的に、又は、基本的には連続する形式で続けるようにしても良い。即ち、バス信号の多くの部分が捕捉されてデコードされるようにしても良いし、又は、バス信号を受けたときに、トリガ・イベントに関してバス信号を断続的に（頻繁に、間断なく）デコードし、分析するようにしても良い。
【００３８】
本発明の態様は、特別に作成されたハードウェア、ファームウェア、デジタル・シグナル・プロセッサ又はプログラムされた命令に従って動作するプロセッサを含む特別にプログラムされた汎用コンピュータ上で動作できる。本願における「コントローラ」又は「プロセッサ」という用語は、マイクロプロセッサ、マイクロコンピュータ、ＡＳＩＣ及び専用ハードウェア・コントローラ等を意図する。本発明の態様は、１つ又は複数のコンピュータ（モニタリング・モジュールを含む）その他のデバイスによって実行される、１つ又は複数のプログラム・モジュールなどのコンピュータ利用可能なデータ及びコンピュータ実行可能な命令で実現できる。概して、プログラム・モジュールとしては、ルーチン、プログラム、オブジェクト、コンポーネント、データ構造などを含み、これらは、コンピュータその他のデバイス内のプロセッサによって実行されると、特定のタスクを実行するか、又は、特定の抽象データ形式を実現する。コンピュータ実行可能命令は、ハードディスク、光ディスク、リムーバブル記憶媒体、ソリッド・ステート・メモリ、ＲＡＭなどのコンピュータ可読記憶媒体に記憶しても良い。当業者には理解されるように、プログラム・モジュールの機能は、様々な実施例において必要に応じて組み合わせられるか又は分散されても良い。更に、こうした機能は、集積回路、フィールド・プログラマブル・ゲート・アレイ（ＦＰＧＡ）などのようなファームウェア又はハードウェア同等物において全体又は一部を具体化できる。特定のデータ構造を使用して、本発明の１つ以上の態様をより効果的に実施することができ、そのようなデータ構造は、本願に記載されたコンピュータ実行可能命令及びコンピュータ使用可能データの範囲内と考えられる。
【００３９】
開示された態様は、場合によっては、ハードウェア、ファームウェア、ソフトウェア又はそれらの任意の組み合わせで実現されても良い。開示された態様は、１つ以上のプロセッサによって読み取られ、実行され得る１つ又は複数のコンピュータ可読媒体によって運搬されるか又は記憶される命令として実現されても良い。そのような命令は、コンピュータ・プログラム・プロダクトと呼ぶことができる。本願で説明するコンピュータ可読媒体は、コンピューティング装置によってアクセス可能な任意の媒体を意味する。限定するものではないが、一例としては、コンピュータ可読媒体は、コンピュータ記憶媒体及び通信媒体を含むことができる。
【００４０】
コンピュータ記憶媒体は、コンピュータ読み取り可能な情報を記憶するために使用することができる任意の媒体を意味する。限定するものではないが、例としては、コンピュータ記憶媒体としては、ランダム・アクセス・メモリ（ＲＡＭ）、読み出し専用メモリ（ＲＯＭ）、電気消去可能プログラマブル読み出し専用メモリ（ＥＥＰＲＯＭ）、フラッシュメモリやその他のメモリ技術、コンパクト・ディスク読み出し専用メモリ（ＣＤ-ＲＯＭ）、ＤＶＤ（Digital Versatile Disc）やその他の光ディスク記憶装置、磁気カセット、磁気テープ、磁気ディスク記憶装置やその他の磁気記憶装置、及び任意の技術で実装された任意の他の揮発性又は不揮発性の取り外し可能又は取り外し不能の媒体を含んでいても良い。コンピュータ記憶媒体としては、信号そのもの及び信号伝送の一時的な形態は排除される。
【００４１】
通信媒体は、コンピュータ可読情報の通信に利用できる任意の媒体を意味する。限定するものではないが、例としては、通信媒体には、電気、光、無線周波数（ＲＦ）、赤外線、音又はその他の形式の信号の通信に適した同軸ケーブル、光ファイバ・ケーブル、空気又は任意の他の媒体を含むことができる。
【００４２】
以下では、本願で開示される技術の理解に有益な実施例が提示される。この技術の実施形態は、以下で記述する実施例の１つ以上及び任意の組み合わせを含んでいても良い。
【００４３】
実施例１は、試験測定装置であって、任意の無線変調方式に基づいて変調された変調バス信号を受けて、同相及び直交ベースバンド成分波形データを出力するよう構成されるデジタル・ダウン・コンバータと、上記同相及び直交ベースバンド成分波形データを受けて、時間対無線周波数トレース、時間対同相トレース又は時間対直交トレースを含む１つ以上のトレースを生成するよう構成されるトレース生成部と、１つ以上の上記トレース及び上記無線変調方式に基づいて上記変調バス信号をデコードするよう構成されるデコーダと、デコードされた上記変調バス信号を捕捉するよう構成される捕捉装置とを具えている。
【００４４】
実施例２は、実施例１の試験測定装置であって、このとき、上記デコーダが、上記１つ以上のトレースに基づいて上記変調バス信号をデコードするために、少なくとも１つのしきい値を決定し、上記１つ以上のトレースを少なくとも１つの上記しきい値に対して比較することによって、上記変調バス信号をバイナリ信号にデコードするよう構成される。
【００４５】
実施例３は、実施例２の試験測定装置であって、少なくとも１つの上記しきい値を受けるよう構成されるユーザ入力部を更に具えている。このユーザ入力部は、更に、上記無線変調方式の情報をユーザから受けるよう構成されていても良い。
【００４６】
実施例４は、実施例３の試験測定装置であって、このとき、少なくとも１つの上記しきい値は、上記無線変調方式に基づいて決定される。
【００４７】
実施例５は、実施例１〜４のいずれかの試験測定装置であって、このとき、上記捕捉装置は、デコードされた上記変調バス信号を受けて、デコードされた上記変調バス信号中のトリガ・イベントを検索し、デコードされた上記変調バス信号中に上記トリガ・イベントが生じていない場合には、上記変調バス信号のデータを破棄して新しい変調バス信号を捕捉し、デコードされた上記変調バス信号中に上記トリガ・イベントが生じている場合には、上記変調バス信号を捕捉するよう構成される１つ以上のプロセッサを有している。
【００４８】
実施例６は、実施例１〜５のいずれかの試験測定装置であって、このとき、上記時間対無線周波数トレースには、時間対振幅トレース、時間対周波数トレース及び時間対位相トレースの中の少なくとも１つが含まれる。
【００４９】
実施例７は、実施例６の試験測定装置であって、このとき、上記時間対振幅トレースには、線形時間対パワー（電力）トレース、対数（Log：ログ）時間対パワー・トレース及び線形時間対振幅トレースの中の少なくとも１つが含まれる。
【００５０】
実施例８は、実施例１〜７のいずれかの試験測定装置であって、このとき、上記捕捉装置は、更に、デコードされた上記変調バス信号中にイベントが存在しているか否か検出し、上記イベントが検出された場合には、上記変調バス信号を捕捉するよう構成されている。
【００５１】
実施例９は、任意の無線変調方式に基づいて変調された変調バス信号をデコードする方法であって、上記変調バス信号を同相及び直交ベースバンド成分波形データにダウン・コンバートする処理と、上記同相及び直交ベースバンド成分波形データに基づいて少なくとも１つの時間領域トレースを生成する処理と、少なくとも１つの上記時間領域トレースに基づいて上記変調バス信号をデコード・データにデコードする処理と、デコードされた上記変調バス信号中のイベントを検出する処理と、上記イベントが検出された場合にデコードされた上記変調バス信号の少なくとも一部分を捕捉する処理とを具えている。
【００５２】
実施例１０は、実施例９の方法であって、上記変調バス信号をデコードする処理が、少なくとも１つのしきい値を決定する処理と、少なくとも１つの上記時間領域トレースを少なくとも１つの上記しきい値と比較することによって、上記変調バス信号をバイナリ信号にデコードする処理とを有している。
【００５３】
実施例１１は、実施例９の方法であって、上記無線変調方式についての情報をユーザ入力部から受ける処理を更に具えている。
【００５４】
実施例１２は、実施例１０の方法であって、少なくとも１つの上記しきい値をユーザ入力部から受ける処理を更に具えている。
【００５５】
実施例１３は、実施例１２の方法であって、このとき、少なくとも１つの上記しきい値は、上記無線変調方式に基づいて決定される。
【００５６】
実施例１４は、実施例９〜１３のいずれかの方法であって、もし上記イベントが検出されなければ、デコードされた上記変調バス信号の一部分を破棄する処理と、新しいバス信号を捕捉する処理を更に具えている。
【００５７】
実施例１５は、実施例９〜１４のいずれかの方法であって、このとき、少なくとも１つの上記時間領域トレースとしては、時間対無線周波数トレースが含まれ、この時間対無線周波数トレースとしては、時間対振幅トレース、時間対周波数トレース及び時間対位相トレースが含まれる。
【００５８】
実施例１６は、実施例１５の方法であって、このとき、上記時間対振幅トレースには、線形時間対パワー・トレース、対数時間対パワー・トレース及び線形時間対振幅トレースの中の少なくとも１つが含まれる。
【００５９】
実施例１７は、コンピュータ・プログラムであって、試験測定装置の１つ以上のプロセッサで実行されたときに、上記試験測定装置に、任意の無線変調方式に基づいて変調された変調バス信号を同相及び直交ベースバンド成分波形データにダウン・コンバートする処理と、上記同相及び直交ベースバンド成分波形データに基づいて少なくとも１つのトレースを生成する処理と、少なくとも１つの上記トレース及び上記無線変調方式に基づいて上記変調バス信号をデコード・データにデコードする処理と、デコードされた上記変調バス信号中にイベントがあるか否か決定する処理と、上記イベントが検出された場合にはデコードされた上記変調バス信号を蓄積し、上記イベントが検出されなかった場合にはデコードされた上記変調バス信号を破棄する処理とを行わせる命令を有している。
【００６０】
実施例１８は、実施例１７のコンピュータ・プログラムであって、このとき、上記変調バス信号をデコードする処理が、少なくとも１つのしきい値を決定する処理と、少なくとも１つの上記トレースを少なくとも１つの上記しきい値と比較することによって、上記変調バス信号をバイナリ信号にデコードする処理とを有している。
【００６１】
実施例１９は、実施例１７又は１８のコンピュータ・プログラムであって、このとき、少なくとも１つの上記トレースには、時間対振幅トレース、時間対周波数トレース、時間対位相トレース、時間対同相ベースバンド成分トレース及び時間対直交ベースバンド成分トレースの中の少なくとも１つが含まれている。
【００６２】
実施例２０は、実施例１９のコンピュータ・プログラムであって、このとき、上記時間対振幅トレースには、線形時間対パワー・トレース、対数時間対パワー・トレース及び線形時間対振幅トレースの中の少なくとも１つが含まれている。
【００６３】
開示された主題の上述のバージョンは、記述したか又は当業者には明らかであろう多くの効果を有する。それでも、開示された装置、システム又は方法のすべてのバージョンにおいて、これらの効果又は特徴のすべてが要求されるわけではない。
【００６４】
加えて、本願の記述は、特定の特徴に言及している。本明細書における開示には、これらの特定の特徴の全ての可能な組み合わせが含まれると理解すべきである。ある特定の特徴が特定の態様又は実施例の状況において開示される場合、その特徴は、可能である限り、他の態様及び実施例の状況においても利用できる。
【００６５】
また、本願において、２つ以上の定義されたステップ又は工程を有する方法に言及する場合、これら定義されたステップ又は工程は、状況的にそれらの可能性を排除しない限り、任意の順序で又は同時に実行しても良い。
【００６６】
説明の都合上、本発明の具体的な実施例を図示し、説明してきたが、本発明の要旨と範囲から離れることなく、種々の変更が可能なことが理解できよう。従って、本発明は、添付の特許請求の範囲を除いて限定されるべきではない。
【符号の説明】
【００６７】
１００  入力部
１０２  アナログ・デジタル・コンバータ
１０４  デジタル・ダウン・コンバータ
１０６  トレース生成部
１０８  デコーダ
１１０  ユーザ入力部
１１２  トリガ回路
１１４  表示部
１１６  メモリ
２００  入力部
２０２  アナログ・デジタル・コンバータ
２０４  トリガ回路
２０６  デジタル・ダウン・コンバータ
２０８  トレース生成部
２１０  デコーダ
２１２  ユーザ入力部
２１４  検索部
２１６  メモリ
２１８  表示部
【図１】
2020118685.tif 000003
【図２】
2020118685.tif 000004
【図３】
2020118685.tif 000005